(57)【要約】本発明は、光学データ担体（２１）からデータを読出しする及び／又は光学データ担体上にデータを書込み機器（２０）に関連する。光学源は入射ビーム（２６）を生成し、対物レンズ組立体（２８）は、入射ビームを光学データ担体上にフォーカスさせる。実質的に非点収差のない薄い凸レンズ（３２）が戻りビーム（３０）を光検出組立体（３３）上に投射するよう使用され、それにより、トラッキングエラー信号を生成する。光学データ担体は記録層を有し、その上に光学的に読出し可能なデータが、バイナリマーク又はピット（１１）の形で書込みされる。バイナリマークは、バイナリマークと相互作用した反射光と、記録層の残りの部分と相互作用した反射光との間に１８０°近くの位相差をもたらすことが可能である。データ信号とトラッキングエラー信号の信号対雑音比が同時に改善される。
2007509456.tif 000002
【特許請求の範囲】
【請求項１】
光学データ担体からデータを読出しする及び／又は該光学データ担体上にデータを書込みする機器であって、
入射ビームを生成する光学源と、
前記入射ビームを前記光学データ担体上にフォーカスさせる対物レンズ組立体と、
前記光学データ担体から戻る前記戻りビームを、トラッキングエラー信号の生成に適した光検出組立体上に投射する検出レンズ組立体と、
を有し、
前記検出レンズ組立体は、実質的な非点収差のない収束レンズ組立体である機器。
【請求項２】
前記検出レンズ組立体は、薄い凸レンズからなる請求項１記載の機器。
【請求項３】
前記戻りビームを、前記検出レンズ組立体を通して投射される第１の分岐と、前記機器のフォーカスエラー検出組立体上に投射される第２の分岐に分けるビームスプリッタを更に有する請求項１記載の機器。
【請求項４】
前記戻りビームの２つの断面部分に対応する強度信号間の差から得られるトラッキングエラー信号を生成するトラッキングエラー信号生成器を更に有する請求項１記載の機器。
【請求項５】
トラッキングエラー信号を生成するトラッキングエラー信号生成器を更に有し、
前記光検出組立体は、四辺形に配置される４つの光検出器を有し、
前記トラッキングエラー信号は、２つの斜めに対向する光検出器の前記強度信号を合わせることによってそれぞれ得られる２つの信号間の差から得られる請求項１記載の機器。
【請求項６】
記録層を有する光学データ担体上に光学的に読出し可能なデータを書込みする方法であって、
バイナリマークを形成するために前記記録層を局所的に変更する段階を有し、
前記バイナリマークは、前記バイナリマークと相互作用した反射光と、前記記録層の残りの部分と相互作用した反射光との間に位相差をもたらすことが可能であり、
前記局所的な変更の振幅は、前記位相差を、１４０°乃至２２０°の範囲にするよう選択される方法。
【請求項７】
前記局所的な変更の振幅は、前記位相差を、１７０°乃至１９０°の範囲にするよう選択される請求項６記載の方法。
【請求項８】
前記局所的な変更は、前記記録層の厚さに関連する請求項６記載の方法。
【請求項９】
前記局所的な変更は、前記記録層の材料の相変化に関する請求項６記載の方法。
【請求項１０】
バイナリマークの形式の光学的に読出し可能なデータを有する記録層を有する光学データ担体であって、
前記バイナリマークは、前記バイナリマークと相互作用した反射光と、前記記録層の残りの部分と相互作用した反射光との間に１４０°乃至２２０°の範囲内の位相差をもたらすことが可能である光学データ担体。
【発明の詳細な説明】
【技術分野】
【０００１】
本発明は、光学データ担体からデータを読出しする及び／又は光学データ担体上にデータを書込みする機器に係る。本発明は更に、光学データ担体上に光学的に読出し可能なデータを書込みする方法と、この方法で得ることのできる光学的に読出し可能なデータを有する光学データ担体に係る。
【０００２】
本発明は、コンパクトディスク、デジタルバーサトルディスク、及びブルーレイディスクを含む全てのタイプの光学データ担体、及びデータの読出し及び／又は書込みの為の対応機器に適用される。
【背景技術】
【０００３】
特許文献１といった従来技術は、光学ディスクから反射された光ビームが、検出レンズによって収束され、光検出器の受光面に到達する前に円柱レンズといった非点収差を生成する素子を通過する光学ピックアップを開示する。光検出器は、記録又はデータ信号を生成するために復調回路に、また、フォーカスエラー信号、トラッキングエラー信号、及び他のサーボ信号を生成するためにエラー検出回路に接続される。
【特許文献１】米国特許出願番号第２００３００８１５３０号
【発明の開示】
【発明が解決しようとする課題】
【０００４】
本発明は、そのような信号、特にデータ信号及びトラッキングエラー信号の信号対雑音比（ＳＮＲ）を改善し、それにより、光学データ担体からデータを読出しする及び／又は光学データ担体上にデータを書込むときのエラー率を最小限にすることを目的とする。
【課題を解決するための手段】
【０００５】
本発明では、この目的は、請求項１に記載するような機器、請求項６に記載するような方法、及び請求項１０に記載するような光学データ担体によって達成される。
【０００６】
本発明は、従来技術の光学ピックアップにおいて発生する問題、即ち、データ信号のＳＮＲとトラッキングエラー信号のＳＮＲとのコンフリクトの認識に基づいている。この問題は、図１、２、及び３を参照してより詳細に説明する。
【０００７】
図１は、従来技術の光学ピックアップを示す図であり、ここでは、便宜上、反射系は、入射瞳と出射瞳とにおいて同一の開口を有する透過系として表される。開口は、実際には同じ対物レンズ組立体に対応する。データの読出しのためには、レーザビーム６が、対物レンズ組立体１によって、光ディスク３の記録層上にフォーカスされる。サーボシステムに支援されて、レーザスポットは、フォーカスされたままでトラックに沿って記録マークを走査することが可能である。マークによって表されるバイナリ情報は、非点収差レンズ５を通り光検出器４上に投射される反射レーザビーム７の強度変化の検出によって読出しされる。
【０００８】
バイナリマークは、ＲＯＭ形式ディスクではピットであり、書換え可能Ｒ（Ｗ）形式ディスクでは相変化領域である。図２は、ＲＯＭ形式ディスクの場合におけるトラックの一部を示すディスク３の断面図である。ディスク３は、透明のポリカーボネート基板層８を有する。バイナリマークは、高さｄを有するピット１１であり、これらは、基板層８の内面から基板層８内にモールド成型される。次に、反射アルミニウム層９が、スパッタリング処理で塗布され、モールド成型されたポリカーボネート基板８に一致させられる。
【０００９】
図３は、図２の面ＩＩＩ−ＩＩＩに取った断面図であり、ＲＯＭディスク３の一部を示す。入射ビーム６は、基板層８を通りディスクに入り、反射アルミニウム層９によって反射される。データピット１１に当たる入射光線６ａは、基板層８の残りの部分、即ち、いわゆるランド１２に当たる光線６ｂとは異なる深度において反射される。このＲＯＭディスクでは、ピット−ランド構造は、２次元位相格子として見ることも可能である。反射光線７ｂ及び７ａとの間の位相差Ψは、Ψ＝４πｎｄ／λを満足する。ｎは、基板層８の屈折率である。
【００１０】
図１に戻るに、平行レーザビーム６が、入射瞳面（ｘ，ｙ）を満たし、ディスク３の記録層上にフォーカスされる。ビームは、反射されて、伝搬し、射出瞳（ｘ’，ｙ’）に到着する。回折によって、光の一部のみが対物レンズ組立体１を通るよう戻り、非点収差レンズ５を通して光検出器４上に投射される。回折理論によると、強い非点収差があることによって光検出器４上の光照射野は、射出瞳面（ｘ’，ｙ’）の非点収差を明らかにし、従って、光検出器４からのデータ信号及びトラッキングエラー信号の抽出は、対物レンズ組立体１の射出瞳から直接的に抽出を行うのと同じである。ここで、射出瞳上の光照射野Ａ（ｘ’，ｙ’）は、実質的に以下である。即ち、
【００１１】
【数１】
2007509456.tif 000003
ここでは、＊は、畳み込みを表し、Ｆ｛｝は、フーリエ変換を表す。入射瞳面及び射出瞳面は同一であり、また、入射ビームは均一であるので、入射瞳関数及び射出瞳関数は、Ａ（ｘ，ｙ）＝１（ｘ２＋ｙ２＜ｒ２）及びＣ（ｘ’，ｙ’）＝１（ｘ’２＋ｙ’２＜ｒ２）である。ここでは、ｒは、対物レンズ組立体１の半径である。
【００１２】
Ｒ（ｕ，ｖ）は、以下の通りに表現可能なディスク反射関数である。即ち、
【００１３】
【数２】
2007509456.tif 000004
ここでは、窓関数Ｗｐ（ｕ−ｕｉ，ｖ−ｖｉ）は、位相変調ｅｊΨを有する座標（ｕｉ，ｖｉ）に中心が合わされるピットｉに対応する。
【００１４】
データ信号Ｉは、光検出器４上の光強度を積分することによって生成可能である。即ち、
【００１５】
【数３】
2007509456.tif 000005
ここでは、Ｑｉは、従来の４象限検出器の象限を表す。
【００１６】
単純にするために、図３に示すように、半径方向ｖ及び接線方向ｕの両方において同一の期間ｐ及び同一のピット幅ｗであると仮定する。更に、ピット窓は、理想的には矩形であり、また、非常に急な壁を有すると仮定する。以下の近似式を有する。即ち、
【００１７】
【数４】
2007509456.tif 000006
ここでは、Ｗｐ（ｘ，ｙ）は、全てのピット窓Ｗｐ（ｕ−ｕｉ，ｖ−ｖｉ）を含む周期ピット窓構造Ｗｐ（ｕ，ｖ）のフーリエ変換、即ち、２次元方形波を表す。φ＝２πｓｔ／ｐは、スポット位置の位相シフトを表し、ここでは、レーザスポットは、矢印１３によって示すように速度ｓで接線方向ｕに沿ってトラックを走査すると仮定される。尚、１次の調波のみが考慮に入れられる。
【００１８】
軸対称及び関数Ｗｐ（ｘ，ｙ）及びＡ（ｘ，ｙ）の現実（realness）を用いて、以下のことが得られる。即ち、
【００１９】
【数５】
2007509456.tif 000007
ここでは、関係のないＤＣ成分は除外される。
【００２０】
ファクタ２（ｃｏｓΨ−１）が、データ信号の変調振幅を決定することが明らかである。変調振幅は、ピット高さｄが高くなるにつれて大きくなり、これは、位相差Ψの増加に対応する。最大変調は、位相差Ψがπラジアン、即ち、１８０°に到達するときに達成され、これは、ピット１１によって反射された光は、ランド１２によって反射された光と逆位相にあり、また、反射ビーム７の最大の消光が得られることを意味する。
【００２１】
更に、読出し又は書込みの際に所望のトラック上にフォーカスされたレーザスポットを安定させるために必要なトラッキングエラー信号ＴＥＳは、従来は、いわゆるラジアルプッシュ−プルチャネルから生成される。図３を参照するに、レーザビームのスポット６が、接線方向ｕにはずれないが、半径方向ｖでは偏差（即ち、オフトラック）ｌを有してピット１１のうちの１つから張り出す場合、対応するトラッキングエラー信号は、以下の式により得ることが可能である。即ち、
【００２２】
【数６】
2007509456.tif 000008
式（１）及び（２）を式（６）内に代入し、上述のデータ信号導出の概要に従って、以下の式を得ることができる。即ち、
【００２３】
【数７】
2007509456.tif 000009
ここでは、φ＝２πｌ／ｐである。トラッキングエラー信号ＴＥＳの振幅は、Ψがπ／２に到達すると最大となり、Ψがπに到達するときのゼロ振幅に到達するまで減少することが分かる。
【００２４】
従って、従来技術の光ピックアップでは、データ信号振幅とトラッキングエラー信号振幅を最大化する際のコンフリクトは、最大データ信号振幅を達成しようと試みる場合にトラッキングエラー信号ＴＥＳは完全に失われる（ｓｉｎπ＝０）ということである。つまり、データ信号の変調深度は、トラッキングエラー信号が十分な振幅を有するという要件によって制限されなければならない。従って、使用される最大変調深度は、Ψ＝１３５°に対応する。
【００２５】
上述のコンフリクトを認識して、本発明の基本的な考えは、トラッキングエラー信号を生成する光検出組立体、即ち、反射ビームの少なくとも２つの断面部に対応する強度信号を生成する少なくとも２つの光検出器に反射ビームを導く光学系から全ての実質的な非点収差を抑制することである。この手段は、データ信号振幅とトラッキングエラー信号振幅とのコンフリクトを抑制する。従って、両方の信号の振幅は、同時に増加される又は更には最大限にされ、これは、両方の信号のＳＮＲを結果として改善する。
【００２６】
請求項２に記載されるような手段は、薄い凸レンズ、即ち、標準的な結像レンズが、反射ビームを光検出器上に集束するために使用されるという利点を有する。このようなレンズは、品質と価格の比において有利である。
【００２７】
請求項３に記載されるような手段は、フォーカスエラー信号生成のための別個の光学分岐を与える。従って、トラッキングエラー信号生成を妨げることなく任意のフォーカスエラー信号生成方法を使用することが可能である。データ信号は、いずれの分岐でも検出可能である。
【００２８】
請求項４及び５に記載するような様々なタイプのトラッキングエラー信号、特にラジアルプッシュ−プル信号及び差動プッシュ−プル信号及びマルチビームトラッキングエラー信号は、請求項１に記載する手段の恩恵を受けるであろう。
【００２９】
請求項６に記載するような方法は、データ信号の変調振幅を増加し、これは、改善されたＳＮＲを結果としてもたらす。同時に、この方法は、更に、請求項１に記載するような機器によって生成されるトラッキングエラー信号の変調振幅及びＳＮＲも改善する。請求項７に記載するような手段は、両方の信号に対して実質的に最適な変調振幅を与える。
【００３０】
この方法は、様々なタイプの記録層を有する幾つかのタイプのデータ担体に適用される。例えば、ＲＯＭタイプの光ディスクは、深度においてディスクの外面に対して局所的な変動を有する基板層から構成される記録層を有する。基板の厚さは、バイナリの１を有する領域、即ち、いわゆるデータピットでは薄くされる。反射光の位相変調は、データピットの深度を調整することによって選択範囲内にすることが可能である。
【００３１】
記録可能なライトワンス光ディスク（ＣＤ−Ｒ、ＤＶＤ−Ｒ、ＤＶＤ＋Ｒ）では、データ記録層は、有機感光染料である。バイナリマークは、レーザ光ビームによって引き起こされる化学変化によって染料に書込みされる。反射光の位相変調は、適切な染料を選択することによって選択範囲内にすることが可能である。
【００３２】
書き換え可能光ディスク（ＣＤ−ＲＷ、ＤＶＤ−ＲＷ、ＤＶＤ＋ＲＷ、ＤＶＤ−ＲＡＭ）のデータ記録層は、相変化合金膜である。レーザビームは、膜を加熱することによって膜にバイナリマークを書込み、それにより、相変化（結晶化）をもたらす。反射光の位相変調は、プリグルーブ深度と、バイナリマークにおける記録層の磁気抵抗を調整することによって選択範囲内にすることが可能である。
【発明を実施するための最良の形態】
【００３３】
本発明のこれらの及び他の面は、図面を参照しながら、例示的に、以下に説明する実施例を参照しながら明らかにし説明する。
【００３４】
図４は、光ディスク２１からデータを読出しする及び光ディスク２１にデータを書込みするための機器２０を示す。図４に示す概略図は、機器２０の光学系を集中的に表し、機器の残りの部分は、従来通りであり本願に詳細に記載する必要はない。図示する光学系は概略的である。光ディスク２１は、任意のタイプでありうる。光ディスク２１がＲＯＭタイプである場合は、図２及び３を参照されたい。光ディスク２１は、モータ２３によって軸２２について回転される。
【００３５】
機器２０の光学系は、入射ビーム２６を生成するレーザ源２５と、入射ビーム２６を実質的に平行にするコリメータレンズ２７と、ビーム２６をディスク２１の記録層上にフォーカスさせる対物レンズ組立体２８と、入射ビーム２６から反射ビーム３０を分ける第１のビームスプリッタ２９（従来の偏光素子は図示せず）と、反射ビーム３０を、第１の４分割光検出器３３上に完全レンズ３２によって集束される第１の分岐３０ａと、第２の４分割光検出器３５上に非点収差レンズ組立体３４によって収束される第２の分岐３０ｂに分ける第２のビームスプリッタ３１を有する。
【００３６】
非点収差レンズ組立体３４と第２の４分割光検出器３５は、フォーカスエラー信号生成回路３６を更に含む従来の非点収差フォーカスエラー検出系の一部を形成する。フォーカスエラー信号生成回路３６は、４分割光検出器３５の４つの象限からの強度信号を処理し、それにより、フォーカスエラー信号ＦＥＳを生成し、この信号は、フォーカスアクチュエータ３８用の制御信号３７を生成するためにフォーカス制御器４４に渡される。フォーカスアクチュエータ３８は、対物レンズ組立体２８の光学軸に沿ってその位置を変更することが可能である。
【００３７】
しかし、非点収差フォーカスエラー検出系の代わりに任意のタイプのフォーカスエラー検出系を第２の分岐３０ｂ上に配置してもよい。例えば、周知のフーコーナイフエッジフォーカスエラー検出系も適切である。
【００３８】
完全レンズ３２と４分割光検出器３３は、以下に説明するようにデータ信号Ｉｎ及びトラッキングエラー信号ＴＥＳｎを生成するために、４分割光検出器３３の４つの象限Ｑ１、Ｑ２、Ｑ３、Ｑ４からの強度信号を処理する処理回路３９を更に含む改良トラッキングエラー検出系の一部である。処理回路３９は、トラッキングエラー信号ＴＥＳｎをトラッキング制御器４３に渡し、この制御器は、トラッキングエラー信号ＴＥＳｎに応じてラジアルトラッキングアクチュエータ４１用の制御信号４０を生成する。ラジアルトラッキングアクチュエータ４１は、フォーカススポット４２をトラックの中心に維持するためにトラックに対して横断方向に対物レンズ組立体２８の位置を変更可能である。データ信号Ｉｎは、以下に詳細に説明する必要のない復調回路に供給される。
【００３９】
完全レンズ３２は、従来設計、即ち、薄くて且つ近軸である凸型結像レンズである。従って、このレンズは、任意の実質的な非点収差を有さない。即ち、対応する波面収差の二乗平均平方根値は、０．００７λの回折制限より小さい。ここではλは波長である。以下に示すように、非点収差がないことによって、データ信号振幅とトラッキングエラー信号振幅との間の上述したようなコンフリクトは抑制される。
【００４０】
４分割光検出器３３上の光強度分布を計算するために、ビームスプリッタ２９及び３１は考慮に入れる必要はない。何故なら、これらは一様な倍率を導入するだけだからである。従って、反射ビーム分岐の光路３０ａは、対物レンズ２８の射出瞳面上の光照射野は完全レンズ３２によって検出面上に更に結像されること以外は、図１におけるビーム７の光路と略同様である。フーリエ光学の理論において周知であるように、完全レンズ３２の効果は、基本的に、遠距離場近似におけるフーリエ変換である。従って、光検出器３３の検出面、即ち、面（ｕ’，ｖ’）上の光照射野Ａは、以下のように書き表すことができる。即ち、
【００４１】
【数８】
2007509456.tif 000010
ここでは、Ａ（ｕ，ｖ）＝Ｆ−１［Ａ（ｘ，ｙ）］、
Ｃ（ｕ’，ｖ’）＝Ｆ−１［Ｃ（ｘ’，ｙ’）］
であり、Ｆ−１は、逆フーリエ変換を表す。――両方とも一次ベッセル関数の形を有する。実際に、これらは、Ａ（ｘ，ｙ）＝Ｃ（ｘ’，ｙ’）であるので互いに等しい。
【００４２】
式（４）におけるディスク反射関数Ｒ（ｕ，ｖ）に対する仮定を用いるがディスク面（ｕ，ｖ）に変換され、以下が得られる。即ち、
【００４３】
【数９】
2007509456.tif 000011
ここでは、窓偏差ΔＷｐ（ｕ，ｖ，ｌ）は、トラックの中心に対するラジアルオフセットｌに対応する。
【００４４】
式（７）と同様に、トラッキングエラー信号も以下の様に表すことが可能である。即ち、
【００４５】
【数１０】
2007509456.tif 000012
式（８）及び（９）を式（１０）に代入し、以下を定義する。即ち、
【００４６】
【数１１】
2007509456.tif 000013
また、関数Ａ（ｕ，ｖ）、Ｄ（ｕ，ｖ）、及びΔＤ（ｕ，ｖ）の現実を考慮に入れて、以下が得られる。即ち、
【００４７】
【数１２】
2007509456.tif 000014
要するに、トラッキングエラー信号ＴＥＳｎは、機器２０における（ｃｏｓΨ−１）につれて変化する。
【００４８】
従って、トラッキングエラー信号ＴＥＳｎのΨ依存性は、従来技術の機器において得られるデータ信号ＩのΨ依存性と同じであり、即ち、両方の信号の変調振幅は、Ψが０からπに増加するにつれて単調に増加する。これは、両方の信号のＳＮＲが、データ信号Ｉが従来技術における条件と同様の条件下で、即ち、非点収差レンズ３４及び検出器３５を用いて生成される場合に、同時に増加されることが可能であることを意味する。図４における破線矢印Ｉによって示すように、データ信号Ｉを生成するよう回路３６を使用することが可能である。
【００４９】
しかし、フーリエ変換は、信号の強度全体を変更しないことは周知である。従って、完全レンズ３２による反射ビーム３０の結像後に生成されるデータ信号Ｉｎの場合、データ信号ＩｎのΨ依存性も、検出器３３が対物レンズ組立体２８の出口横断面全体を離れる光を収集するならば、プレファクタ（ｃｏｓΨ−１）である。このことは、レンズ３２の倍率と検出器３３の寸法の適切な選択によって達成可能である。従って、データ信号Ｉｎとトラッキングエラー信号ＴＥＳｎの振幅間のコンフリクトは、データ信号及びトラッキングエラー信号の両方が、完全レンズ３２による反射ビーム３０ａの結像後に生成されるときにも排除される。
【００５０】
上述した理論的な結果は、スカラー解析理論に基づいたコンピュータシミュレーションによって確認された。シミュレーションは、ＤＶＤ  ＲＯＭパラメータを用いて行われた。結果は、図５に示す。各曲線は、異なる値の位相差Ψ＝４πｎｄ／λについて（即ち、対応する値のピット深度ｄについて）、トラッキングエラー信号ＴＥＳｎの変動を、ラジアルオフセットｌの関数として示す。横座標は、ｌ／ｐであり、ここでは、ｐは、トラックピッチを表す。縦座標は、任意の単位におけるＴＥＳｎである。最大振幅は、Ψがπに到達すると達成されることが明らかである。
【００５１】
データ信号における雑音は、一般的に、埃又は傷といったデータ担体上の欠陥と電子雑音を原因とする。このような雑音は、ピット深度とは直接関係しない。従って、式（５）に従って、データＳＮＲの相対利得は、以下のように書き表すことが可能である。即ち、
【００５２】
【数１３】
2007509456.tif 000015
この関係は、図６に示す。図６では、横座標は、度数でのΨであり、縦座標は、ｄＢでのＧＳＮＲである。従来技術のトラッキングエラー信号振幅が略最適であるΨ＝８５°については、データＳＮＲの利得は、約−７ｄＢである。これは非常に有効である。データ信号及びラジアルプッシュ−プル信号振幅間の容認可能なトレードオフとして従来技術において提案されたΨ＝１３５°については、データＳＮＲの利得は、依然として、約−１．５ｄＢである。対応する位相差Ψがπに近付くまでピット深度を増加することは、データＳＮＲにおける改善をもたらすことは明らかである。同様の傾向が、トラッキングエラー信号ＴＥＳｎのＳＮＲについて観察される。従って、機器２０において、従来技術のディスクに対して増加されたピット深度ｄを有するＲＯＭディスクは、改善されたデータ信号ＳＮＲとトラッキングエラー信号ＳＮＲで読出しされる。非点収差レンズ組立体ではなく完全レンズ３２を使用することは、データ信号変調を増加することと、トラッキングエラー信号の利用可能性間のコンフリクトを取り除く。その結果、データの信号対ノイズ比において数ｄＢを得ることが可能であるよう最大データ変調を達成可能である。
【００５３】
上述の結果において、Ψは、基板層８内を伝搬され、バイナリマーク１１で反射された光と、基板層８内を伝搬され、ランド領域１２で反射された光との間に発生する位相差を示す。これらの結果は、ＲＯＭタイプのディスクに限定されない。これらの結果は、ライトワンス光ディスク又は書き換え可能光ディスクといったように、バイナリマークが位相差を生成する任意の他の記録媒体に適用される。
【００５４】
欧州特許出願第３７９２８５号に記載されるような３スポットシステムといったラジアルトラッキングのために幾つかの反射ビームを使用するシステムも、上述したデータ信号とトラッキングエラー信号の振幅間のコンフリクトを取り除き、従って、両方の信号のＳＮＲを最適化する方法から恩恵を受けることが可能である。これは、ラジアルトラッキングのためのマルチビームプッシュ−プル信号は、幾つかの１ビームプッシュ−プル信号の線型結合であるという事実による。
【００５５】
上述の信号ＴＥＳｎの代替として、処理回路３９は、トラッキングエラーを検出するために斜めプッシュ−プル信号ＤＰＰを生成してもよい。即ち、
【００５６】
【数１４】
2007509456.tif 000016
式（１１）の導出と類似する導出の後、信号ＤＰＰもプレファクタ（ｃｏｓΨ−１）を有することを観察でき、これは、信号ＤＰＰも、データ信号変調が最大限にされるとき最大振幅を取ることを意味する。
【００５７】
機器２０の単純な実施例を上述し且つ図面に示したが、収差補正器、偏光器、ビームスプリッタ等の追加の光学構成要素が設けられるより複雑な実施例を設計することも可能である。収差補正器といった戻り光の経路をより理想的にする構成要素は、実際の光ビームを、上述の導出が基づいた仮定により近付ける。従って、このような光学構成要素は、実質的な非点収差を有さない結像レンズ又はレンズ群が反射ビームをトラッキングエラーの検出のために与えられる光検出器上に集束するよう機能するならば、トラッキングエラー信号振幅に悪影響を及ぼすことなく使用可能である。
【００５８】
上述の式は、明瞭にするためにスカラー近似において導出されたが、偏光の適切な計算は、主な結果を変更することはなく、即ち、トラッキングエラー信号及びデータ信号は、位相差Ψに同じ依存性を有する。従って、トラッキングエラー信号振幅に悪影響を及ぼすことなく偏光構成要素を機器２０に追加しうる。
【００５９】
光ディスクシステムにおけるトラッキングエラー信号の抽出方法を記載した。この方法では、反射ビームの経路は、非点収差レンズ組立体ではなく完全集束レンズ又はレンズ群によって変更される。データ信号及びトラッキングエラー信号の振幅は、特に、ＲＯＭタイプ形式である光データ担体上でのデータ変調振幅の調整によって同時に最適化可能である。
【００６０】
「有する」又は「含む」という動詞及びその活用形の使用は、請求項に記載した素子又は段階以外の素子又は段階を排除するものではない。また、単数形で示される素子又は段階は、その素子又は段階が複数存在することを排除するものではない。
【００６１】
請求項において、括弧内に入れられる任意の参照符号は、その請求項を限定するものとして解釈すべきではない。
【図面の簡単な説明】
【００６２】
【図１】従来技術による光学ピックアップを示す図である。
【図２】ＲＯＭタイプ光ディスクを示す部分断面図である。
【図３】ＲＯＭタイプ光ディスクの記録層を示す部分斜視図である。
【図４】本発明の実施例による機器を示す図である。
【図５】幾つかのデータ変調深度の値について、光ビームのオフトラックの関数として図４の機器で入手可能なラジアルプッシュ−プル信号を示すグラフである。
【図６】データ変調深度の関数として図４の機器で入手可能なデータ信号のＳＮＲを示すグラフである。
【図１】
2007509456.tif 000017
【図２】
2007509456.tif 000018
【図３】
2007509456.tif 000019
【図４】
2007509456.tif 000020
【図５】
2007509456.tif 000021
【図６】
2007509456.tif 000022
【国際調査報告】
2007509456.tif 000023
2007509456.tif 000024
2007509456.tif 000025